(57)【要約】    【課題】  各々のリブの形状は同一な形状をなしており、それ故に、ペン先を支えるリブに作用する力も同一なものとなってしまっていた。よって、筆記におけるペン先のしなりも同一なものとなってしまい、筆記する人の好みに関わらず画一的なものとなってしまっていた。即ち、ペン先のしなりは、製造時に設定されてしまい、消費者はその設定に基づいたものを使用せざるをえなかった。    【構成】  軸筒の先端部に軸線方向に延びる複数のリブを一体に設け、そのリブによりペン先を軸筒の先端部に保持させたペン先保持構造であって、前記リブの前端にペン先の段部を当接させると共に、前記複数のリブの大きさを異ならしめたペン先保持構造。【選択図】        図１
2005131839.tif 000002
【特許請求の範囲】
【請求項１】
軸筒の先端部に軸線方向に延びる複数のリブを一体に設け、そのリブによりペン先を軸筒の先端部に保持させたペン先保持構造であって、前記リブの前端にペン先の段部を当接させると共に、前記複数のリブの大きさを異ならしめたことを特徴とするペン先保持構造。
【請求項２】
前記リブを相対向する方向の２箇所に設けたことを特徴とする請求項１記載のペン先保持構造。
【請求項３】
前記ペン先を繊維集束体から形成したことを特徴とする請求項１、或いは、請求項２記載のペン先保持構造。
【発明の詳細な説明】
【技術分野】
【０００１】
本発明は、軸筒の先端部に軸線方向に延びる複数のリブを一体に設け、そのリブによりペン先を軸筒の先端部に保持させたペン先保持構造に関する。
【背景技術】
【０００２】
１例として、軸筒の先端部内周面に軸線方向に延びる複数のリブを等間隔に一体に設け、そのリブによりペン先を軸筒先端部に保持させ、且つ、前記リブの間に空気流通間隙を形成すると共に、前記リブの前端を軸筒の前端から前方へ突出させ、そのリブの前端にペン先の段部を当接させたペン先保持構造がある。
【特許文献１】特開平８−３１０１８０号
【発明の開示】
【発明が解決しようとする課題】
【０００３】
前記従来技術におけるリブは、軸筒にペン先を保持させ、且つ、空気流通間隙を形成する言った作用を奏している。しかしながら、各々のリブの形状は同一な形状をなしており、それ故に、ペン先を支えるリブに作用する力も同一なものとなってしまっていた。よって、筆記におけるペン先のしなりも同一なものとなってしまい、筆記する人の好みに関わらず画一的なものとなってしまっていた。即ち、ペン先のしなりは、製造時に設定されてしまい、消費者はその設定に基づいたものを使用せざる終えなかった。
【課題を解決するための手段】
【０００４】
本発明は、軸筒の先端部に軸線方向に延びる複数のリブを一体に設け、そのリブによりペン先を軸筒の先端部に保持させたペン先保持構造であって、前記リブの前端にペン先の段部を当接させると共に、前記複数のリブの大きさを異ならしめたことを要旨とする。
【発明の効果】
【０００５】
本発明は、軸筒の先端部に軸線方向に延びる複数のリブを一体に設け、そのリブによりペン先を軸筒の先端部に保持させたペン先保持構造であって、前記リブの前端にペン先の段部を当接させると共に、前記複数のリブの大きさを異ならしめたので、使用者は筆記する際に好みに応じてペン先のしなり具合を選択することができる。
【発明を実施するための最良の形態】
【０００６】
作用について説明する。小さい方のリブを上方に向けて筆記した際には、そのリブの柔軟性が良い為、前記ペン先が柔軟にしなり軟らかい筆記感が得られ、大きい方のリブを上方に向けて筆記した際には、リブの柔軟性が悪い為、ペン先がしなりにくく硬質な筆記感が得られる。
【０００７】
図１〜図５に示し説明する。軸筒１の内部には、弾発部材７を介して移動不能に樹脂成形品からなるシール筒部３がセットされている。そのシール筒部３の後方内面には、樹脂材質から形成された筆記体２の前方の外壁と密閉を保つための内方リブが円周上に形成されている。また、樹脂材質からなるシール蓋４には、３本の細線部５１、５２、５３が放射状にしかも等間隔（１２０度間隔）な位置に一体に射出成形などの手段によって形成されている。これらの細線部５１、５２、５３の表面には、潤滑剤が塗布されているが、成形と同時に樹脂中に混練りさせても良い。その潤滑剤の例としては、シリコーンオイルやロウ、タルク、グリスなどが良好なものとして挙げられるが、塗布する作業性を考慮すると、シリコーンオイルと言った液状物が好ましい。尚、その細線部５２、５３の後端はガイド筒６に固定されているが、細線部５１はガイド筒６に摺動可能に取り付けられてる。そして、ガイド筒６とシール筒部３との間には、弾発部材７が張設されており、その弾撥部材７の付勢によって、前記シール蓋４が後方に押し当てられ、そのシール蓋４とシール筒部３との密閉が保たれている。
軸筒１の先端部は筆記体２の先端が出没可能に摺動する先端開口穴が設けられ、後端は筆記体２を構成する後方部材（ノック部材）２ｂを摺動可能に配置できる後端開口穴が設けられている。
【０００８】
又、筆記体２の先端部にはリブ１１が突出した状態で設けられており、そのリブ１１には繊維束体やウレタン、焼結体などからなるペン先１０が保持されているが、筆記感や組み立て性を考慮すると繊維集束体からなるペン先が好ましい。詳述すると、ペン先１０の中間部に段部１０ａが形成されており、その段部１０ａが前記リブ１１の前端部に係止している。即ち、ペン先１０の段部１０ａがリブ１１の前端部に係止されることによって、ペン先１０の筆記体２に対する没入が阻止防止されているのである。
前記そのリブ１１は、筆記体２の先端外形形状に従って円弧状をなしているが、その大きさを異ならしめている。具体的には、筆記体２先端の相対する方向の２箇所に形成されており、それらは約１８０度の円弧状リブ１１ａと１２０度の円弧状リブ１１ｂから構成されている。そして、各々のリブ間には空間部１１ｃが形成されており、その空間部１１ｃが消耗したインキと空気の交換路となっている。尚、前記リブの数や形状は、固定されるペン先（ペン先の段部）の形状やしなり具合、または、固定強度により任意に選択が可能であるが、大きさを異ならしめることが必須である。そのリブの大きさを変える変形例としては、一方のリブの肉厚を薄くし、他方のリブの肉厚を厚くする手段などがある。即ち、薄い肉厚のリブを上方に向けて筆記した際には、前記ペン先が柔軟にしなり軟らかい筆記感が得られ、厚いリブを上方に向けて筆記した際には、ペン先がしなりにくくなる為、硬質な筆記感が得られる。尚、前記リブの大きさや肉厚を変化させることによって、ペン先１０の筆記体２に対する固定力も容易に選択することができるようになる。
また、軸筒１の側面には、摺動駒９が長手方向に摺動可能で、先端方向に係止部１ｂを形成した案内溝１ａが形成されている。その案内溝１ａの後方は軸筒１の後端開口部と連接されず、案内溝１ａは軸筒１の側面で閉じた窓部を形成している。即ち、案内溝１ａの先端と後端（後端部１ｃ）は、閉塞されているのである。また、案内溝１ａの後端部１ｃは、筆記体２が軸筒１に収納されているときの摺動駒９の係止部ともなっている。
【０００９】
更に、その案内溝１ａの後端部１ｃからは、円周方向に規制溝１ｉが形成されている。工場出荷時や不使用時、摺動駒９を軸筒１の円周方向に回転させ、規制溝１ｉに基部９ｂを位置させておくことによって、不慮の出没動作が防止されるのである。又、この際、摺動駒９（基部９ｂ）が容易には復帰しないように、摺動駒９と軸筒１とが係合し得るようになっている。具体的には、軸筒１の外周面に設けた突起１ｋに、摺動駒９の下面に設けた突起９ｈが係合するのである。尚、本例においては、基部９ｂ（摺動駒９）と後方部材（ノック部材）２ｂとを別部材で形成し、互いを係合・固定しているが、射出成形や切削加工などの手段によって一体形成などしても良い。
ここで、前記規制溝１ｉの底面には、筆記体２の突出方向に向かって傾斜する傾斜面部１ｌが形成されている。規制溝１ｉに基部９ｂが位置した状態で、過大な突出操作が行われた場合、前記傾斜面部１ｌを通過して基部９ｂが前進し得るようにしているのである。即ち、不慮、あるいは、過度の突出操作における、規制溝１ｉや基部９ｂの破損を防止しているのである。ちなみに、本例においては、約３．０ｋｇ〜５．０ｋｇの突出操作力が作用すると、基部９ｂが傾斜面１ｌを通過して、規制溝１ｉから離脱し案内溝１ａに達するようになっている。
尚、案内溝１ａの後端部１ｃには、下方に向けて突起１ｊが形成されており、後述する基部９ｂの凹状の傾斜部９ｅが係合し得るようになっている。即ち、使用時においては、摺動駒９が軸筒１に対して不用意に回転しないようになっているのである。
【００１０】
前記摺動駒９は、軸筒１の外側に釦部９ａと案内溝１ａ内を摺動係止する基部９ｂと軸筒１の内側で筆記体２を抱設する内方部９ｃとからなる。図１では、摺動駒９の基部９ｂの後方が案内溝１ａの後端部１ｃに当接あるいは僅かな隙間をもって配置されている。
又、前記摺動駒９の内方部９ｃが筆記体２を抱設し、摺動駒９が略長手軸を中心に回転可能に配置されている。具体的に説明すると、筆記体前方部材２ａと筆記体後方部材２ｂとは螺合よって着脱自在に連結・固定されており、その螺合部分に前記摺動駒９の内方部９ｃが緩着されている。即ち、内方部９ｃは、筆記体前方部材２ａと筆記体後方部材２ｂとによって挟み込まれた状態で筆記体２と一体化しているのである。また、前記筆記体前方部材２ａと筆記体後方部材２ｂは、螺合によって連結されており、その螺合構造の前方部が気密構造部となっている。具体的には、筆記体前方部材２ａの内面に形成されている円周リブが、筆記体後方部材２ｂに形成されている平面部２ｆに接触し、互いが圧接・変形し密着する気密構造となっている。これによって、後述するインキ吸蔵体のインキが、前記気密構造部から蒸発しない、或いは、極めて蒸発しにくい螺合構造となっている。
尚、前記気密構造によって連結された筆記体前方部材２ａと筆記体前方部材２ｂの内部には、繊維集束体からなるインキ吸蔵体が挿着されているが、スポンジやウレタン、綿などの多孔質体であっても良い。そして、前記繊維集束体からなるインキ吸蔵体の表面には、薄いフイルム状部材からなる被覆体が巻き付けられているが、その被覆体には微細な貫通孔を複数形成しても良い。
【００１１】
次ぎに、動作について説明する。筆記体後方部材２ｂを軸筒１に対して前進させると、前記弾撥部材７の弾撥力に抗して筆記体前方部材２ａが前進する。この時、前記細線部５１、５２、５３も前進すると共に緊張状態から開放され、シール蓋４が開放する。更に、筆記体後方部材２ｂを前進させると、筆記体前方部材２ａが前進しその先端部が軸筒１の先端開口部から突出する。この突出過程で、前記細線部５２、５３は軸筒１の内面を摺接しながら撓んだ状態となるが、前記潤滑剤が塗布されている為、スムーズに摺接移動し、その結果、円弧を描いたような湾曲した状態となる（図６参照）。
ここで、更に筆記体後方部材２ｂを前進させると、前記摺動駒９の基部９ｂ後方に形成した凹状の傾斜部９ｅが、軸筒１の鋭角な係止部（突起）１ｂに係止され筆記状態を保つことができる。この状態で摺動駒９の釦部９ａを長手軸を中心に適宜回転させることにより、摺動駒９の基部９ｂと案内溝係止部１ｂの係止が解除され、筆記体２は収納状態に移ることができる。
【図面の簡単な説明】
【００１２】
【図１】本発明の１例を示す要部縦断面図（筆記体収納状態）。
【図２】細線部近傍の部材を示す外観正面図。
【図３】図１の横断面図。
【図４】図１の要部拡大図。
【図５】分解斜視図。
【図６】筆記体突出状態を示す要部斜視図。
【図７】筆記体前部リブを示す要部斜視図
【符号の説明】
【００１３】
１      軸筒
１ａ    案内溝
１ｂ    係止部
１ｃ    後端部
１ｅ    幅広部
１ｆ    面取り部
１ｇ    係止穴
１ｈ    係止穴
１ｉ    規制溝
１ｊ    突起
１ｋ    突起
１ｌ    傾斜面部
２      筆記体
２ａ    筆記体前方部材
２ｂ    筆記体後方部材
２ｃ    縮径部
２ｄ    係止リブ
２ｆ    平面部
３      シール筒部
４      シール蓋
５      細径部
６      ガイド筒
７      弾撥部材
８      クリップ
９      摺動駒
９ａ    釦部
９ｂ    基部
９ｃ    内方部
９ｅ    傾斜部
９ｇ    面取り部
９ｈ    突起
１０    ペン先
１０ａ  段部
１１    リブ
１１ａ  リブ
１１ｂ  リブ
【図１】
2005131839.tif 000003
【図２】
2005131839.tif 000004
【図３】
2005131839.tif 000005
【図４】
2005131839.tif 000006
【図５】
2005131839.tif 000007
【図６】
2005131839.tif 000008
【図７】
2005131839.tif 000009